(57)【要約】【課題】一対の挟持片のはめ合わせ作業が楽に行え、シートのコーナ部を奥に送り込んでから挟持するためにシートをピンと張った状態で容易に取付けることができるシートコーナ挟持具を提供する。【解決手段】挟持具１は、壁面に取り付けられるベース体２と、このベース体２に枢軸１６ｂを介して係合し、ベース体２と協働して開閉するレバー体４とで構成され、ベース体２に設けた片持ち帯状体８と当接するシートコーナ引き込み部１８がレバー体４に形成され、レバー体４が閉止位置へ移行する過程で、シート体Ｓコーナ部が片持ち帯状体８とシートコーナ引き込み部１８により挟持されて引き込まれる構成とすることで、シート体Ｓコーナ部をピンとした状態で張ることができ、厚みに違いがある各種シートに適用可能となる。【選択図】　図６
2004065381.tif 000002
【特許請求の範囲】
【請求項１】
壁面にシート物を掲示するためのシートコーナ挟持具であって、前記シートコーナ挟持具は、壁面に取り付けられるベース体と、該ベース体と枢軸係合しベース体と協働してシートコーナを挟持する閉止位置と、シートコーナの挟持を解放する開放位置をとるレバー体とで構成され、前記ベース体とレバー体の何れか一方にバネ部が、他方にシートコーナ引き込み部が配設され、前記レバー体が開放位置から閉止位置へ移行する過程で、シートコーナが前記バネ部とシートコーナ引き込み部に挟持されて引き込まれることを特徴とするシートコーナ挟持具。
【請求項２】
前記シートコーナ引き込み部は枢軸運動により前記バネ部と当接可能な突状体から成り、前記バネ部は前記突状体に対向した位置に設けた引き込み方向に延びる片持ち帯状体である請求項１に記載のシートコーナ挟持具。
【請求項３】
前記片持ち帯状体は本体に２箇所のスリット溝を設けて形成したものである請求項２に記載のシートコーナ挟持具。
【請求項４】
前記突状体近傍には、シートコーナを挟持する閉止位置においてシートコーナに当接する粘着部材が設けられている請求項２または３に記載のシートコーナ挟持具。
【請求項５】
前記バネ部はゴム状弾性樹脂で構成されている請求項１に記載のシートコーナ挟持具。
【請求項６】
前記ベース体とレバー体の少なくともその何れか一方に、シートコーナを挟持する閉止位置においてシートコーナに当接する平板状の粘着部材が設けられている請求項１ないし５の何れかに記載のシートコーナ挟持具。
【請求項７】
前記シートコーナ挟持具は、前記ベース体と協働してシートコーナを挟持するレバー体の閉止位置を保持するロック手段を備えている請求項１ないし６の何れかに記載のシートコーナ挟持具。
【発明の詳細な説明】
【０００１】
【発明の属する技術分野】
本発明は、ショーウインドウ等のガラス面も含む壁面にシート状のポスターや広告印刷物を掲示するためのシートコーナ挟持具に関する。
【０００２】
【従来の技術】
従来、シート状のポスターや広告印刷物をガラス面も含む壁面に掲示する方法として、鋲か粘着テープでシートのコーナ部を留めるようにするのが一般的であるが、鋲は相手壁面との関係で使用できない場合があり、粘着テープの場合は使用後壁面に粘着剤が残りきれいに剥がすのが面倒であった。
【０００３】
このような状況を回避するために、粘着テープを用いない専用のシートコーナ挟持具も開発されている。図９（ａ）はこのような専用のシートコーナ挟持具の分解図であり、図９（ｂ）はスライド式ロック部材の作動説明図である。図９（ａ）において、シートコーナ挟持具０１は「く」の字状の一対の挟持片から成り、一方の挟持片は壁面に吸着板０２を介して取り付けられるベース体０３として構成され、他方の挟持片はこのベース体０３と協働してシートコーナを挟持する蓋体０４として構成されている。
【０００４】
ベース体０３と蓋体０４の挟持側にはそれぞれ２箇所に軟質の粘着突出部０３ａ，０４ａが設けられており、ベース体０３の上にシートのコーナ部を載置し、その上から蓋体０４を載せ、図９（ｂ）に示すように、スライド式ロック部材０５を矢印の方向に移動してベース体０３と蓋体０４を締め付けることにより、シートコーナが両粘着突出部０３ａ，０４ａに挟持される。
【０００５】
【発明が解決しようとする課題】
ところで、上述のシートコーナ挟持具０１は、スライド式ロック部材０５を操作するまではシートを保持する必要があり、しかもベース体０３と蓋体０４とが別部材で構成されているために、シートを位置決めしながらベース体０３と蓋体０４とをはめ合わせスライド式ロック部材０５を操作しなければならず、シートの掲示作業に手間がかかった。また、ベース体０３と蓋体０４とで押さえつけてシートコーナを両粘着突出部０３ａ，０４ａで挟持しているだけであるから、シートの一方のコーナを挟持具で止めた後、他方のシートコーナを他の挟持具で留める際に、弛みのない状態で留めるには、シートをピンと張った状態で挟持具０１を操作しなければならず、熟練者でないと上手に張れないことが多かった。
【０００６】
本発明は上記課題に鑑みなされたもので、一対の挟持片のはめ合わせ作業が楽に行え、シートのコーナ部を奥に送り込んでから挟持するためにシートをピンと張った状態で容易に取付けることができるシートコーナ挟持具を提供することを目的とする。
【０００７】
【課題を解決するための手段】
上記目的を達成するために、本発明のシートコーナ挟持具は、壁面にシート物を掲示するためのシートコーナ挟持具であって、前記シートコーナ挟持具は、壁面に取り付けられるベース体と、該ベース体と枢軸係合しベース体と協働してシートコーナを挟持する閉止位置と、シートコーナの挟持を解放する開放位置をとるレバー体とで構成され、前記ベース体とレバー体の何れか一方にバネ部が、他方にシートコーナ引き込み部が配設され、前記レバー体が開放位置から閉止位置へ移行する過程で、シートコーナが前記バネ部とシートコーナ引き込み部に挟持されて引き込まれることを特徴としている。
この特徴によれば、ベース体とレバー体とが枢軸係合しているために、両者のはめ合わせは楽であり、しかもシートコーナを挟持する際に、コーナ部を奥に引き込んだ後に挟持するので、シートをピンとした状態で張ることができる。しかも厚みの違う各種シートに対してもバネ部で吸収することができるので、各種シートに適用可能である。
【０００８】
また、本発明のシートコーナ挟持具において、前記シートコーナ引き込み部は枢軸運動により前記バネ部と当接可能な突状体から成り、前記バネ部は前記突状体に対向した位置に設けた引き込み方向に延びる片持ち帯状体であることが好ましい。
このようにすれば、レバー体が開放位置から閉止位置へ移行する過程で生じる枢軸運動を利用してシートコーナ引き込み部を作動させることができ、また、片持ち帯状体が引き込み方向に延びているので、枢着軸の位置が変動しても常にバネ力を与えることができ、設計の自由度が得られる。
【０００９】
また、本発明のシートコーナ挟持具において、前記片持ち帯状体は本体に２箇所のスリット溝を設けて形成したものであることが好ましい。
このようにすれば、簡単な加工で片持ち帯状体を形成することができる。
【００１０】
また、本発明のシートコーナ挟持具において、前記突状体近傍には、シートコーナを挟持する閉止位置においてシートコーナに当接する粘着部材が設けられていることが好ましい。
このようにすれば、シートコーナを引き込んだ後引き続いてシートコーナを粘着部材で保持することができる。
【００１１】
また、本発明のシートコーナ挟持具において、前記バネ部はゴム状弾性樹脂で構成されていることが好ましい。
このようにすれば、シートの素材や厚さに応じて性状の異なる各種ゴム状弾性樹脂を選択して対応させることができる。
【００１２】
また、本発明のシートコーナ挟持具において、前記ベース体とレバー体の少なくともその何れか一方に、シートコーナを挟持する閉止位置においてシートコーナに当接する平板状の粘性部材が設けられていることが好ましい。
このようにすれば、平板状の粘性部材によりより確実にシートを不動状態に保持することができる。
【００１３】
また、本発明のシートコーナ挟持具において、前記シートコーナ挟持具は、前記ベース体と協働してシートコーナを挟持するレバー体の閉止位置を保持するロック手段を備えていることが好ましい。
このようにすれば、レバー体の開放をロック手段によって阻止することで、長期に亘りシートの掲示を確実に行うことができる。
【００１４】
【発明の実施の形態】
以下、本発明の一実施形態につき図１〜図６に基づいて説明する。
【００１５】
先ず図１は、本発明のシートコーナ挟持具の平面図、図２は図１のＡ矢視図、図３は図１のＢ矢視図、図４は図１のＣ―Ｃ断面図であって、（ａ）は開放状態にあるロックレバーの断面図、（ｂ）はロック状態にあるロックレバーの断面図、図５は開放状態にあるシートコーナ挟持具の斜視図であり、図６は図５のＤ−Ｄ断面図である。
【００１６】
図１、図２に示すように、符号１はシートコーナ挟持具であって、このシートコーナ挟持具１は、壁面等に取り付けられるベース体２と、このベース体２と枢軸係合しベース体２と協働してシート体Ｓのコーナ部を挟持する閉止位置と、シート体Ｓのコーナ部の挟持を解放する開放位置をとるレバー体４とで構成されている。
【００１７】
ベース体２は、例えば合成樹脂などで平面視Ｌ字形の板状に一体成形され、このベース体２のコーナ部にはベース体２とほぼ同一形状に形成されたレバー体４が所定範囲で回動可能に枢着されている。
【００１８】
図５に示すように、ベース体２のコーナ部には、等角に２分割する４５度の軸線方向に外側に開口する一対のスリット溝６ａ、６ｂが形成されされ、両スリット溝６ａ、６ｂ間にはバネ部として構成された片持ち帯状体８が弾性変形可能に形成されている。
【００１９】
両スリット溝６ａ、６ｂの開口端外側のベース体２のコーナ部上面には、レバー体４を回動可能に枢支する一対の板状支持片１０ａ、１０ｂが立設し、ベース体２の両端上面には平板状の例えばゴム材で構成された角形の粘性部材５ａ、５ｂが貼着されている。
【００２０】
一方、ベース体２のコーナ部に回動可能に枢支されるレバー体４には、その両端の上記ベース体２の粘性部材５ａ、５ｂに対向するように肉厚部から成る挟持面１２ａ、１２ｂが形成されており、コーナ部の内側の細長突出部１４（図６参照）上面にはゴム状粘着部材１５が貼着されている。
【００２１】
更に、シートコーナ引き込み部は、レバー体４のコーナ部外方の下面にあって、片持ち帯状体８と先端で当接可能な突状体１８で構成され、この突状体１８の近傍にはシートコーナを挟持する閉止位置においてシートコーナに当接する粘着部材２０が設けられている。
【００２２】
そして、突状体１８の両端から突設した枢軸１６ａ、１６ｂは、ベース体２のコーナ部上面に立設した一対の板状支持片１０ａ、１０ｂに回動可能に枢支されており、枢軸１６ａ、１６ｂの両端は、支持片１０ａ、１０ｂを幅方向外方に弾性変形させて支持片１０ａ、１０ｂの支持孔に嵌合させて取付ける。これによりレバー体４は、閉止位置と開放位置の間で揺動運動できる。
【００２３】
次に、図１に示すように、ベース体２のコーナ部に回動可能に枢支されるレバー体４が閉止状態において、平面視Ｌ字状に形成されるコーナ部を挟む外側の２辺には、ベース体２とレバー体４の閉止位置を保持する一対のロック手段７ａ、７ｂが具備されている。
【００２４】
詳しくは、ロック手段７ａ、７ｂは、それぞれが同一構造で構成されており、同一符号を用いて一方のロック手段７ａのみに付き説明する。
【００２５】
このロック手段７ａは、図１、図３及び図４（ａ）、（ｂ）に示されており、ベース体２の平面視直角に交叉する外側辺のほぼ中間に、弾性変形可能な薄板状の板状片２２が立設しており、その上端には内側に折曲した係止片２２ａが形成されている。
【００２６】
一方、レバー体４には、板状片２２に対応する位置に係止片２２ａより幅広の逃げ溝４ａが形成されており、レバー体４を開放する際における係止片２２ａとの干渉を回避している。
【００２７】
更に、レバー体４の上面には、上記逃げ溝４ａと同一幅の浅溝４ｂが外側辺と直交する方向に形成され、浅溝４ｂの底面には低摩擦シート２６が貼着されている。
【００２８】
また、レバー体４の上面には、浅溝４ｂの両側に一対の板状の支持片２４ａ、２４ｂが立設しており、両支持片２４ａ、２４ｂにはロックレバー２５が回動可能に枢着されている。
【００２９】
ロックレバー２５は、その先端に下方に突出するカム部２５ａが形成されると共にカム部２５ａの先端には上部に突出する係止爪２５ｂが形成されており、カム部２５ａの両側には、支持片２４ａ、２４ｂの支持孔に挿通支持される一対の支持軸２８が突設している。
【００３０】
次に、上記のように構成されたシートコーナ挟持具の使用法に付き図４から図６を参照して説明する。
【００３１】
このシートコーナ挟持具（以下挟持具１と称する）は、ショーウインドウ等のガラス面も含む壁面Ｗに、ポスターや広告印刷物等の方形に形成されたシート体Ｓを掲示する際に、シート体Ｓの四隅コーナ部を挟持するために例えば壁面Ｗのコーナ等を利用して、シート体Ｓの四隅コーナ部に対応する４箇所に予め貼着される。
【００３２】
挟持具１の貼着に際し、壁面Ｗの４箇所に挟持具１のベース体２底面が図示しない両面テープまたは接着剤を介して貼着される。４箇所に貼着された挟持具１により、シート体Ｓの四隅コーナ部を挟持具１で挟持する方法に付き説明する。
【００３３】
先ず、図６に示すようにレバー体４が開放された状態において、レバー体４のコーナ部に形成された突状体１８の下端と、ベース体２コーナ部の片持ち帯状体８の上面との間に僅かな隙間が形成される。その隙間にシート体Ｓのコーナ部を差し込み、レバー体４を枢軸１６ａ、１６ｂを中心として閉止方向に回動させる。
【００３４】
レバー体４を閉止方向に回動させると、シート体Ｓのコーナ部は奥に引き込まれレバー体４が閉止状態となると、突状体１８近傍に設けたゴム紐状の粘着部材２０がシート体Ｓのコーナ部を押圧し、その移動が固定される。
【００３５】
更に、シート体Ｓのコーナ部はベース体２の粘性部材５ａ、５ｂとレバー体４の挟持面１２ａ、１２ｂで挟まれ、同時にレバー体４下面のゴム状粘着部材１５とベース体２の平面部と挟持されるので、緩みのないシート部Ｓの固定が実現される。
【００３６】
その後、一対のロック手段７ａ、７ｂが操作され、図４の（ａ）に示されるロックレバー２５の開放状態から一対の支持軸２８を中心として、図４の（ｂ）に示される閉止方向に回動させると、下方に突出したカム部２５ａが低摩擦シート２６の上面を滑動しつつ押圧した状態で、上部に突出する係止爪２５ｂが係止片２２ａの下面に接触する。
【００３７】
この接触状態では、カム部２５ａの下方に向く突出部が低摩擦シート２６上面の支持軸２８直下点に位置して低摩擦シート２６上面を強く押圧した状態となり、ロックレバー２５を更にレバー体４上面に近接する位置まで回動させて、支持軸２８の直下点を通過した際に係止爪２５ｂは、係止片２２ａの弾力により係止されてロック状態が得られる。
【００３８】
次に、レバー体４を開放する際は、一対のロック手段７ａ、７ｂのロックレバー２５を上方に回動させることで、図５に示すように容易に開放することができ、これにより、シート体Ｓの各コーナ部が挟持具１から取り外される。
【００３９】
従って、上記のように構成された挟持具１によれば、ベース体２とレバー体４とは、枢軸１６ａ、１６ｂの両端が幅方向に弾性変形可能な一対の板状支持片１０ａ、１０ｂに嵌め合わされて回動可能に枢支されているので両者のはめ合わせは楽であり、しかも、シート体Ｓのコーナ部を挟持する際に、このコーナ部を奥に引き込んだ後に挟持するので、シート体Ｓをピンとした状態で張ることができる。しかもシート体Ｓに厚みの違いがあっても弾性変形可能な片持ち帯状体８の弾力で吸収することができるので、各種シートが適用可能となる。
【００４０】
また、シートコーナ引き込み部は、レバー体４を開放位置から閉止位置へ移行する過程で生じる突状体１８の枢軸運動により作動させることができ、加えて、片持ち帯状体８が引き込み方向に延びているので、ベース体２上面に対する枢軸１６ａ、１６ｂの位置が変動しても常にバネ力を与えることができ、設計の自由度が得られる。
【００４１】
そしてまた、片持ち帯状体８が、ベース体２のコーナ部に２箇所のスリット溝６ａ、６ｂにより形成されているので簡単な加工で形成することができる。
【００４２】
更に、突状体１８には、シート体Ｓのコーナ部を挟持する閉止位置において、シート体Ｓのコーナ部の面に当接する粘着部材２０が設けられているので、シート体Ｓのコーナ部を引き込んだ後、引き続いてシート体Ｓのコーナ部を粘着部材２０で保持することができる。
【００４３】
そして、ベース体２とレバー体４の少なくともその何れか一方に、シート体Ｓのコーナ部を挟持する閉止位置において、シート体Ｓのコーナ部に当接する平板状の粘性部材５ａ、５ｂが設けられているので、これら粘性部材５ａ、５ｂによりより確実にシート体Ｓを不動状態に保持することができる。
【００４４】
また、挟持具１には、ベース体２と協働してシート体Ｓのコーナ部を挟持するレバー体４の閉止位置を保持する一対のロック手段７ａ、７ｂを備えているので、レバー体４の開放をロック手段７ａ、７ｂによって阻止することで、長期に亘りシートの掲示を確実に行うことができる。
【００４５】
尚、上記の実施形態では、挟持具１を構成するベース体２とレバー体４を平面視Ｌ字形に形成した例に付き説明したが、これら両者をＬ字形に限らず扇形、三角形、矩形等に形成することも可能である。
【００４６】
更に、シートコーナ挟持具として、シート体Ｓのコーナ部を挟持する使用例として説明したが、シート体Ｓが細長状に形成されたものの場合は、コーナ部に限らず中間の側端辺を挟持することもできる。
【００４７】
次に、図７はシートコーナ挟持具の変形例を示す平面図であり、この挟持具３０は、上述した実施形態とほぼ同一構成であり、ベース体３２のみを平面視三角形に形成したものである。
【００４８】
このように、ベース体３２を三角形に形成することにより、上記の実施形態で示されるベース体２よりも壁面に取り付ける接着面積が拡大されるので、例えば壁面Ｗに掲示されるシート体Ｓが重量を有するものの場合に、強力に保持することができる。
【００４９】
また、図８はシートコーナ挟持具の他の変形例を示す平面図であり、この挟持具３４は、上述した実施形態とほぼ同一構成であり、ベース体３６のみを平面視矩形に形成したものである。
【００５０】
このように、ベース体３６を縦長の矩形に形成することにより、上記の変形例で示されるベース体３２よりも接着面積が拡大されるので、例えば壁面Ｗに掲示されるシート体Ｓを更に強力に保持することができ、シート体Ｓが薄手のものの場合には、支持面が広く安定した保持力が得られる。
【００５１】
尚、本実施形態において、バネ部として片持ち帯状体８を用いた例で説明したが、シートコーナ引き込み部と協働して弾性変形しながらシートコーナを引き込むことができればよく、金属製の板バネやゴム状弾性樹脂であってもよい。特にゴム状弾性樹脂を用いれば、素材や厚さの異なるシートに対して、各種性状が異なるのゴム状弾性樹脂を選択して対応させることができる。
【００５２】
【発明の効果】
本発明によれば、次のような効果が得られる。
【００５３】
（ａ）請求項１に記載の発明によれば、ベース体とレバー体とが枢軸係合しているために、両者のはめ合わせは楽であり、しかもシートコーナを挟持する際に、コーナ部を奥に引き込んだ後に挟持するので、シートをピンとした状態で張ることができる。しかも厚みの違う各種シートに対してもバネ部で吸収することができるので、各種シートに適用可能である。
【００５４】
（ｂ）請求項２に記載の発明によれば、レバー体が開放位置から閉止位置へ移行する過程で生じる枢軸運動を利用してシートコーナ引き込み部を作動させることができ、また、片持ち帯状体が引き込み方向に延びているので、枢着軸の位置が変動しても常にバネ力を与えることができ、設計の自由度が得られる。
【００５５】
（ｃ）請求項３に記載の発明によれば、簡単な加工で片持ち帯状体を形成することができる。
【００５６】
（ｄ）請求項４に記載の発明によれば、シートコーナを引き込んだ後引き続いてシートコーナを粘着部材で保持することができる。
【００５７】
（ｅ）請求項５に記載の発明によれば、シートの素材や厚さに応じて性状の異なる各種ゴム状弾性樹脂を選択して対応させることができる。
【００５８】
（ｆ）請求項６に記載の発明によれば、平板状の粘性部材によりより確実にシートを不動状態に保持することができる。
【００５９】
（ｇ）請求項７に記載の発明によれば、レバー体の開放をロック手段によって阻止することで、長期に亘りシートの掲示を確実に行うことができる。
【図面の簡単な説明】
【図１】本発明の一実施形態に係るシートコーナ挟持具の平面図である。
【図２】同じく図１のＡ矢視図である。
【図３】同じく図１のＢ矢視図である。
【図４】図１のＣ―Ｃ断面図であって、（ａ）は開放状態にあるロックレバーの断面図、（ｂ）はロック状態にあるロックレバーの断面図である。
【図５】開放状態にあるシートコーナ挟持具の斜視図である。
【図６】図５のＤ−Ｄ断面図である。
【図７】本発明のシートコーナ挟持具の変形例を示す平面図である。
【図８】本発明のシートコーナ挟持具の他の変形例を示す平面図である。
【図９】（ａ）は従来のシートコーナ挟持具の分解図であり、（ｂ）はスライド式ロック部材の作動説明図である。
【符号の説明】
１　　　　　　　　　　挟持具（シートコーナ挟持具）
２　　　　　　　　　　ベース体
４　　　　　　　　　　レバー体
４ａ　　　　　　　　　逃げ溝
４ｂ　　　　　　　　　浅溝
５ａ、５ｂ　　　　　　粘性部材
６ａ、６ｂ　　　　　　スリット溝
７ａ、７ｂ　　　　　　ロック手段
８　　　　　　　　　　片持ち帯状体（バネ部）
１０ａ、１０ｂ　　　　板状支持片
１２ａ、１２ｂ　　　　挟持面
１４　　　　　　　　　細長突出部
１５　　　　　　　　　ゴム状粘着部材
１６ａ、１６ｂ　　　　枢軸
１８　　　　　　　　　突状体（引き込み部）
２０　　　　　　　　　粘着部材
２２　　　　　　　　　板状片
２２ａ、２２ｂ　　　　係止片
２４ａ、２４ｂ　　　　支持片
２５　　　　　　　　　ロックレバー
２５ａ　　　　　　　　カム部
２５ｂ　　　　　　　　係止爪
２６　　　　　　　　　低摩擦シート
２８　　　　　　　　　支持軸
３０、３４　　　　　　挟持具
３５　　　　　　　　　レバー体
３２、３６　　　　　　ベース体
Ｓ　　　　　　　　　　シート体
Ｗ　　　　　　　　　　壁面
【図１】
2004065381.tif 000003
【図２】
2004065381.tif 000004
【図３】
2004065381.tif 000005
【図４】
2004065381.tif 000006
【図５】
2004065381.tif 000007
【図６】
2004065381.tif 000008
【図７】
2004065381.tif 000009
【図８】
2004065381.tif 000010
【図９】
2004065381.tif 000011